(57)【要約】  【課題】複数のカード機能を有するＩＣカードを保持した状態で、そのカード機能を使用する携帯端末において、使用対象のカード機能を容易に識別し、簡単に選択できるようにする。  【解決手段】複数のカード機能を有し、各カードの券面の画像を表示するための券面データが格納されたＩＣカードを保持する携帯端末６０に、ＩＣカードから券面データを読出す券面データ読出手段と、読出された券面データを用いて券面の画像２２を表示する表示手段と、券面データの読出しと券面画像の表示とを制御する制御手段とを設け、ＩＣカードが、外部リーダ・ライタ３０との間で選択されたカード機能による処理を行うとき、少なくともその処理の開始時点で、そのカード機能に対応する券面の画像２２を表示手段で表示するように構成している。ユーザは、ＩＣカードが有する各カード機能を直感的に識別でき、使用するカード機能を間違わずに選択することができる。  【選択図】図２
2005099909.tif 000002
【特許請求の範囲】
【請求項１】
任意のカードに関する処理を行うための複数のカード情報と、前記カード情報に対応した前記カードの券面の画像を表示するための券面データとを保持する情報記憶装置を搭載する情報処理装置であって、
前記情報記憶装置から前記券面データを読み出す券面データ読み出し手段と、
読み出された券面データを用いて券面の画像を表示する表示手段と、
券面データ読み出し手段と表示手段とカード情報に関する処理とを制御する制御手段と
を備えたことを特徴とする情報処理装置。
【請求項２】
前記情報記憶装置が、外部の装置との通信により選択されたカード情報に関する処理を行うとき、その処理の開始時点で、前記表示手段は、前記カード情報に対応する券面の画像を表示することを特徴とする請求項１に記載の情報処理装置。
【請求項３】
前記表示手段で表示している券面に対応するカード情報以外のすべてのカード情報を指定して、指定したカード情報の起動停止を指示するロックアプリ指定手段を備えることを特徴とする請求項２に記載の情報処理装置。
【請求項４】
前記ロックアプリ指定手段は、指定したカード情報に対する外部の装置の選択を一回だけ拒否するように前記情報記憶装置に指示することを特徴とする請求項３に記載の情報処理装置。
【請求項５】
前記制御手段は、前記情報記憶装置のカード情報に関する処理の開始時点で前記表示手段に表示している券面の画像を、前記処理の終了後、一定時間が経過するまで表示し続けるように制御することを特徴とする請求項２に記載の情報処理装置。
【発明の詳細な説明】
【技術分野】
【０００１】
本発明は、複数のカード機能を有するＩＣカード等の情報記憶装置を保持し、その状態で情報記憶装置のカード機能を使用する携帯電話やＰＤＡ等の情報処理装置に関し、カード機能の選択を容易にするものである。
【背景技術】
【０００２】
現代社会は、カード社会と言われ、クレジットカードやキャッシュカード、ポイントカード、定期券、ＩＣテレフォンカード等、各種の磁気カードやＩＣカードが広く普及しており、何枚ものカードを所有する人が少なくない。
これらのカードの券面には、そのカード特有の意匠が施されており、また、カード所有者の氏名やカードの有効期限等、重要なデータが記載されている。そのため、券面を見るだけでカードの種類が分かり、券面に表示された情報からカード所有者の権利を確認することができる。また、カードの裏面には、カード使用時の注意書きや、クレジットカードでは本人確認用の本人自筆署名、ポイントカードなどでは会員識別番号を示すバーコード情報などが記載されている。
【０００３】
磁気カードの情報は、磁気読み取り装置で読み取られ、ＩＣカードの情報は、リーダ・ライタで読み取られる。ＩＣカードには、リーダ・ライタとの情報交換を非接触通信で行うものと、接触通信で行うものとが有り、下記特許文献１には、接触通信及び非接触通信の両方が可能なＩＣカードを携帯通信装置に装着し、ＩＣカードと外部装置との間では非接触通信で記録情報の読み書きを行い、また、ＩＣカードと携帯通信装置との間では接触通信でそれを行う構成が記載されている。
【０００４】
また、近年、一枚のＩＣカードに複数のカード機能を搭載して、例えば、キャッシュカードにも、定期券にも利用できる多機能型のカード（マルチアプリＩＣカード）が開発されている。ユーザは、このマルチアプリＩＣカードがあれば、何枚ものカードを持ち歩く必要が無くなる。
【０００５】
また、本発明に関係する技術として、下記非特許文献１には、“「振る」だけでパソコン操作できるリモコン”が記載されている。このリモコンは、ジャイロスコープを内蔵し、上に向かって振ることで、テレビやＤＶＤプレーヤの機能を持つパソコンのボリュームを高めたり、画面をズームアップしたりすることができる。
【特許文献１】特開２００２−３４５０３７号公報
【非特許文献１】{ HYPERLINK "http://www.hotwired.co.jp/news/news/technology/story/20030623302.html" ,http://www.hotwired.co.jp/news/news/technology/story/20030623302.html}    「『振る』だけでパソコン操作できるリモコン」
【発明の開示】
【発明が解決しようとする課題】
【０００６】
しかし、通常のカードは、手の上で、あるいは財布内で、その複数枚を広げれば、利用可能なサービスが、それらの券面から一目で分かるが、マルチアプリＩＣカードの場合は、カードの実体が一つであり、券面も一つであるため、その券面を一瞥しただけでは、内部にどんなサービス機能が格納され、どのようなサービスが利用可能であるかが分かりにくい、と言う不便がある。
【０００７】
マルチアプリＩＣカード内に格納したサービスを閲覧する場合は、例えば、図９に示すように、リーダ・ライタの画面にカードのサービスメニューを表示する、と言った方式が考えられるが、この方式では、リーダ・ライタを使ってマルチアプリＩＣカードの情報を読み出す操作や、リーダ・ライタのメニュー画面上での必要な操作等、煩雑な操作が要求される。
【０００８】
マルチアプリＩＣカードの券面に文字や記号を印字して、利用可能なサービスを全て表示する方法も考えられるが、この場合は、多数のサービスを表す文字や記号が狭い領域に表示されるため、ユーザにとって見難いものとなる。また、自社のマークやカードの意匠にこだわりを持つサービス提供者は、個別カードと異なる形態でマークや意匠がマルチアプリＩＣカードに表示されることを嫌う傾向があり、それがマルチアプリＩＣカードへの加入、つまりマルチアプリＩＣカードの採用とアプリ搭載に二の足を踏む原因にもなっている。また、券面への印字方式は、マルチアプリＩＣカードへのサービスの追加や変更に対して、柔軟に対応することができない。また、券面にサービス名等を表示したとしても、実行するサービスを選択する際の煩雑な操作は避けられない。
【０００９】
本発明は、こうした従来の問題点を解決するものであり、複数のカード機能を有する情報記憶装置を保持した状態で、そのカード機能を使用する情報処理装置であって、使用対象のカード機能を容易に識別し、簡単に選択することができる情報処理装置を提供することを目的としている。
【課題を解決するための手段】
【００１０】
本発明では、任意のカードに関する処理を行うための複数のカード情報（カードアプリケーション、カード磁気情報など）と、そのカード情報に対応したカードの券面の画像を表示するための券面データとを保持する情報記憶装置を搭載する情報処理装置に、情報記憶装置から券面データを読み出す券面データ読み出し手段と、読み出された券面データを用いて券面の画像を表示する表示手段と、券面データ読み出し手段と表示手段とカード情報に関する処理とを制御する制御手段とを設けている。
この情報処理装置は、装着や埋設した情報記憶装置から券面データを読み出し、この情報記憶装置に内蔵されたカード機能のそれぞれを表すカード券面の画像を順次表示手段に表示する。ユーザは、この券面画像から、使用するカード機能を識別することができる。
【００１１】
なお、情報記憶装置を「搭載する」情報処理装置には、ＩＣチップを埋め込んだ固定接続型の端末や、カードスロットを持つ着脱可能接続型の端末など、様々な接続形態で情報記憶装置に接続する端末が含まれる。
【００１２】
また、本発明の情報処理装置では、情報記憶装置が外部の装置との通信により選択されたカード情報に関する処理を行うとき、その処理の開始時点で、表示手段が、カード情報に対応する券面の画像を表示する。
使用するカード情報の券面画像が表示された情報処理装置をＰＯＳ端末などにかざすことにより、選択されたカードでの処理が開始される。
【００１３】
また、本発明の情報処理装置には、表示手段で表示している券面に対応するカード情報以外のすべてのカード情報を指定して、指定したカード情報の起動停止を指示するロックアプリ指定手段を設けている。
そのため、情報記憶装置が外部リーダ・ライタの指示で行うカード処理は、情報処理装置の表示画面に表示された券面画像に対応するカード機能での処理に限られる。
【００１４】
また、本発明の情報処理装置のロックアプリ指定手段は、指定したカード情報に対する外部の装置の選択を一回だけ拒否するように情報記憶装置に指示する。
そのため、ロックアプリ指定手段により指定されたカード機能は、外部リーダ・ライタのセレクトに対して一回だけロックされる。
【００１５】
また、本発明の情報処理装置の制御手段は、情報記憶装置のカード情報に関する処理の開始時点で表示手段に表示している券面の画像を、この処理の終了後、一定時間が経過するまで表示し続けるように制御する。
そのため、ユーザは、どのカード機能によるサービスが行われたかを容易に識別することができる。
【発明の効果】
【００１６】
本発明の情報処理装置は、複数のカード機能を有する情報記憶装置の各カード機能を表す券面画像を表示することができ、ユーザは、使用するカード機能の券面画像が表示された情報処理装置を用いて、情報記憶装置に、そのカード機能による処理を行わせることができる。従って、ユーザは、情報記憶装置が有する各カード機能を直感的に識別することができ、使用するカード機能を間違わずに選択することができる。
【発明を実施するための最良の形態】
【００１７】
（第１の実施形態）
本発明の第１の実施形態における情報処理装置は、情報記憶装置（「セキュアデバイス」と呼ぶ）を内蔵した携帯電話やＰＨＳ等の携帯通信端末であり、セキュアデバイスに対して接触通信でアクセスする。
一方、セキュアデバイスは、複数のカード機能を有し、それぞれのカード機能に対応する個別カードの券面イメージデータ（「券面データ」と呼ぶ）を保持している。また、セキュアデバイスは、接触通信手段と非接触通信手段とを備えており、携帯通信端末から接触通信手段を通じて指示を受け取り、指示された処理結果を返す。また、非接触通信手段を通じて、例えば、改札機やＰＯＳ端末、クレジット端末等の外部リーダ・ライタから指示を受け取り、所定のカード機能による処理を実行する。
【００１８】
図１に模式的に示すように、セキュアデバイスを装着した携帯通信端末６０を横（矢印１の方向）に振ると、携帯通信端末６０の表示画面に、セキュアデバイスのカード機能の一つを表す券面イメージ２１が表示され、さらに携帯通信端末６０を横に振ると、次の券面イメージ２２が表示される。このように携帯通信端末６０を横に振るごとに、携帯通信端末６０の表示画面に、セキュアデバイスのカード機能を表す券面イメージが順次表示される。また、携帯通信端末６０を縦（矢印２の方向）に振ると、券面イメージの表示を停止して、通信の待ち受け状態に戻る。
【００１９】
ユーザは、図２に示すように、使用するカード機能に対応する券面イメージ２２を表示画面に表示して、携帯通信端末６０を外部リーダ・ライタ３０に近づける。携帯通信端末６０に装着されたセキュアデバイスは、外部リーダ・ライタ３０の非接触通信領域に達すると、非接触通信手段を通じて外部リーダ・ライタ３０と通信し、表示された券面イメージ２２のカード機能による処理を開始する。
【００２０】
図３は、この携帯通信端末６０とセキュアデバイス１０との構成を示している。セキュアデバイス１０は、カード機能を実行するカードアプリケーション（「ＩＣカードアプリ」と呼ぶ）３７１が格納された、秘匿領域に設けられているカードアプリ格納手段３７と、ＩＣカードアプリ３７１が実行するカード機能の各々に対応する個別カードの券面データ３６１が格納された、秘匿領域に設けられている券面データ格納手段３６と、共通ライブラリとしてのカードマネージャ３９とを備えている。
【００２１】
一方、携帯通信端末６０は、横の振りを検知する第１加速度センサ７８１と、縦の振りを検知する第２加速度センサ７８２と、券面イメージを表示する表示手段６１と、セキュアデバイス１０へのアクセスを管理するセキュアデバイス管理手段３５と、セキュアデバイス１０から券面データ３６１を読み出す券面データ読み出し手段６４と、券面表示動作を制御する制御手段６３と、携帯通信端末６０の通信待ち受け状態を管理する待ち受け状態管理手段７７とを備えている。
【００２２】
セキュアデバイス管理手段３５は、セキュアデバイス１０のカードマネージャ３９に対して、ユーザ（セキュアデバイス１０の所有者）が携帯通信端末６０のキーを操作して入力したＰＩＮ（Personal Identification Number）の検証を求め、また、カードマネージャ３９との間で、携帯通信端末６０とセキュアデバイス１０との相互認証の処理を行う。
【００２３】
ＰＩＮの検証を受けたユーザは、携帯通信端末６０を横に振って券面イメージの表示を指示する。この“横の振り”を検知した第１加速度センサ７８１は、制御手段６３に券面イメージの表示指示を伝え、制御手段６３は、券面データ読み出し手段６４に券面データの読み出しを指示する。券面データ読み出し手段６４は、１番目の券面データ３６１を読み出すため、セキュアデバイス管理手段６５を通じて、セキュアデバイス１０にコマンドを送り、その券面データの格納場所を知るＩＣカードアプリ３７１に、１番目の券面データ３６１の読み出しを求める。セキュアデバイス管理手段６５は、該当するＩＣカードアプリ３７１に対して、券面データ読み出し手段６４の認証を求めた後、券面データ読み出し手段３４のコマンドを送り、ＩＣカードアプリ３７１は、指定された券面データ３６１を読み出して携帯通信端末６０に送る。
制御手段６３は、読み出された券面データを表示手段６１に送り、携帯通信端末６０の表示手段６１に券面イメージが表示される。
【００２４】
こうして、ユーザが携帯通信端末６０を横に振るごとに、セキュアデバイス１０に内蔵されたカード機能に対応する券面イメージが順次読み出されて、携帯通信端末６０の画面に順番に表示される。そのため、ユーザは、表示手段６１に表示された券面イメージから、このセキュアデバイス１０のカード機能を直感的に把握することができる。
一方、第２加速度センサ７８２は、携帯通信端末６０の“縦の振り”を検知すると、それを制御手段６３に伝え、これを受けて、制御手段６３は、表示手段６１の表示を停止し、待ち受け状態管理手段７７に通信待ち受け状態への移行を指示する。
【００２５】
なお、ここでは、それぞれの券面データ３６１が、対応するＩＣカードアプリ３７１により読み出される形式のセキュアデバイス１０について説明したが、図４に示すように、セキュアデバイス１０は、個々のカードの保持データ、たとえば磁気カードであれば磁気データ（所有者氏名、有効期限、クレジット番号等）に相当する情報（カード磁気情報と呼ぶ）を格納するカード磁気情報３８１のファイルと、その券面データ３６１のファイルとを関連付けて保持する形式のものであっても良い。このセキュアデバイス１０のファイル構造は、カードアプリ単位で設定したＤＦ（Dedicated File）と、その配下に設定したＥＦ（Elementary File）とを有しており、カード磁気情報３８１及び券面データ３６１は、ＥＦとして格納され、各ＥＦには、ＤＦからのパスを辿ってアクセスすることができる。
【００２６】
この場合、携帯通信端末６０は、各券面データ３６１へのパスを管理するデータ格納パス管理手段６６を備えており、このデータ格納パス管理手段６６は、相互認証が終了したセキュアデバイス１０から、セキュアデバイス管理手段６５を通じて、全ての券面データ３６１へのパス情報を取得し、それを保持する。
また、制御手段６３から券面データの読み出し指示を受けた券面データ読み出し手段６４は、データ格納パス管理手段６６で管理されている券面データ３６１へのパスを取得し、セキュアデバイス管理手段６５を通じて、そのパスにより、所望の券面データ３６１を読み出す。その他の構成・動作は、図３の場合と同じである。
【００２７】
また、ここでは、携帯通信端末６０の券面イメージの表示動作を、携帯通信端末６０を振るユーザアクションに連動させる場合について説明したが、この表示動作は、ユーザのその他のアクションに連動させることも可能である。
例えば、図５には、いずれかのボタンまたは専用ボタンを押下しながら、携帯通信端末６０を横に振ると、券面イメージが表示される携帯通信端末６０の構成を示している。この携帯通信端末６０は、ボタンの押下を監視するボタン状態監視手段７９を備えており、このボタン状態監視手段７９は、携帯通信端末６０のボタンが押されているとき、その旨を制御手段６３に伝える。制御手段６３は、ボタンが押されているときに、第１加速度センサ７８１が“横の振り”を検知した場合は、券面イメージの表示指示と受け止めて、券面データ読み出し手段６４に券面データの読み出しを指示する。一方、ボタンが押されていないときに、第１加速度センサ７８１が“横の振り”を検知しても、それを無視する。制御手段６３がこうした制御を行うことで、ボタンを押下しながら携帯通信端末６０を横に振るユーザアクションに連動させて、携帯通信端末６０の表示画面に券面イメージを順次表示することが可能になる。
【００２８】
さて、ユーザは、図２に示すように、ユーザアクションで、使用するカード機能に対応する券面イメージ２２を携帯通信端末６０の表示画面に表示させると、この携帯通信端末６０を外部リーダ・ライタ３０に近づけて、セキュアデバイスに、外部リーダ・ライタ３０との非接触通信を行わせる。図６は、この状況を図示している。携帯通信端末６０に表示された券面イメージ２２に対応するセキュアデバイス１０のＩＣカードアプリは、非接触通信で外部リーダ・ライタ３０から与えられるコマンドに従って、該当するカード機能による処理を実行する。
【００２９】
このとき、表示された券面イメージ２２に対応するＩＣカードアプリ以外は、外部リーダ・ライタ３０から隠して、その他のＩＣカードアプリが外部リーダ・ライタ３０によって選択されないようにする必要がある。通常、ＩＣカードは、外部リーダ・ライタからそのＩＣカードアプリが指定され、起動される。しかし、例えば決済を行う場面において、ＩＣカード内に複数のクレジットカードアプリが存在し、また外部リーダ・ライタも複数のクレジットカードアプリに対応している場合は、利用者によりどのクレジットカードアプリを使用するかを指定する必要がある。これはつまり、使用するＩＣカードアプリ以外は、外部リーダ・ライタから隠し、外部リーダ・ライタによって選択されないようにすることを意味する。
そのため、この携帯通信端末６０は、図７に示すように、表示された券面イメージに対応するＩＣカードアプリ以外のＩＣカードアプリをロックするためのロックアプリ指定手段８１を備えている。
【００３０】
このロックアプリ指定手段８１は、セキュアデバイス１０のカードマネージャ３９に対し、表示された券面イメージに対応するＩＣカードアプリ以外のＩＣカードアプリを指定して、それらの起動を拒否（ロック）するように指示するカード設定コマンドを、セキュアデバイス管理手段６５を通じて送信する。セキュアデバイス管理手段６５は、カードマネージャ３９に、ロックアプリ指定手段８１の認証を求めた後、カード設定コマンドを送る。
このカード設定コマンドを受信したカードマネージャ３９は、ロックしたＩＣカードアプリを外部リーダ・ライタ３０が選択したとき、一回だけエラーを返す（一回だけロックする）ようにカードを動作付ける。
【００３１】
例えば、セキュアデバイス１０にＡ社のクレジットアプリとＢ社のクレジットアプリとが含まれており、携帯通信端末６０の表示画面にＢ社のクレジットカードの券面が表示されている場合を想定する。この携帯通信端末６０をクレジット端末の外部リーダ・ライタ３０に“かざす”と、外部リーダ・ライタ３０は、セキュアデバイス１０に搭載されているアプリケーションの中から、自分が動作させたいアプリケーションを選択するコマンドをセキュアデバイス１０に投げる。
外部リーダ・ライタ３０が、Ａ社クレジットアプリを選択するコマンドを投げると、セキュアデバイス１０のカードマネージャ３９は、エラーをレスポンスし、次に、外部リーダ・ライタ３０が、Ｂ社クレジットアプリを選択するコマンドを投げると、カードマネージャ３９は、選択した旨のレスポンスを返し、外部リーダ・ライタ３０とＢ社クレジットアプリとの間で処理が進められる。
【００３２】
ここで、携帯通信端末６０の表示画面に新たな券面を表示すると、ロックアプリ指定手段８１により、ロックすべきＩＣカードアプリが新たに設定されるため、カードマネージャ３９が行うＩＣカードアプリのロックは、一回で足りることになる。
こうした動作により、携帯通信端末６０の表示画面に券面イメージが表示されたカード機能を使う処理が行われる。
【００３３】
そのため、ユーザは、複数のカード機能を有するセキュアデバイスから、所望のカード機能を容易に選択して使用することができる。また、この選択は、片手で簡単に操作することができる。
なお、ここでは、セキュアデバイスを振る動作について説明したが、それ以外の所有者のアクション、例えば、セキュアデバイスを指先で叩いたり、表示画面に触れたりする動作、に応じて券面を表示し、それを更新するようにしてもよい。
【００３４】
また、ここでは、セキュアデバイスが、携帯通信端末６０との間で接触通信を行い、外部リーダ・ライタ３０との間で、直接、非接触通信を行う場合について説明したが、携帯通信端末６０に、セキュアデバイスとの接触通信Ｉ／Ｆと、外部リーダ・ライタ３０との非接触通信Ｉ／Ｆとを設け、携帯通信端末６０が、セキュアデバイスと外部リーダ・ライタ３０との通信を仲介するようにしても良い。
【００３５】
（第２の実施形態）
本発明の第２の実施形態では、セキュアデバイスでのカード処理の終了後、一定時間が経過するまで、使用したカード機能に対応する券面イメージを表示し続ける携帯通信端末について説明する。
この処理を行う携帯通信端末６０は、図８に示すように、セキュアデバイス１０から非接触通信処理の開始及び終了の情報を得る処理開始・終了通知受信手段８２と、経過時間をカウントするタイマ監視手段８３とを備えている。その他の構成は、図６と変わりがない。
【００３６】
制御手段６３は、第１加速度センサ７８１が“横の振り”を検知すると、券面イメージの表示指示と受け止めて、券面データ読み出し手段６４に券面データの読み出しを指示し、表示手段６１に券面イメージを表示する。タイマ監視手段８３は、第１加速度センサ７８１が“横の振り”を検知した時点からの経過時間をカウントする。カウントを開始してから一定時間が経過する前に、第１加速度センサ７８１が“横の振り”を再度検知すると、タイマ監視手段８３は、それまでの計測時間をリセットし、改めて経過時間をカウントし直す。また、制御手段６３は、第１加速度センサ７８１が“横の振り”を検知したので、券面データ読み出し手段６４に次の券面データの読み出しを指示し、表示手段６１に次の券面イメージを表示する。
ユーザが携帯通信端末６０を振らないまま、タイマ監視手段８３の計測時間が一定時間に達すると、タイマ監視手段８３は、その旨を制御手段６３に伝え、制御手段６３は、処理開始・終了通知受信手段８２から何の通知も受けていない場合には、表示手段６１における券面イメージの表示を停止する。
【００３７】
一方、処理開始・終了通知受信手段８２は、セキュアデバイス１０の処理状態を監視しており、ユーザが、携帯通信端末６０を外部リーダ・ライタ３０にかざして、セキュアデバイス１０にカード処理を行わせている場合は、セキュアデバイス１０が外部リーダ・ライタ３０と非接触通信を開始した時点、及び、非接触通信を終了した時点の情報を取得して、この情報を制御手段６３に伝える。
制御手段６３は、処理開始・終了通知受信手段８２から非接触通信の開始の通知を受けた以降は、タイマ監視手段８３から一定時間経過の通知を受けても、表示手段６１に同じ券面イメージを表示し続ける。
【００３８】
また、制御手段６３は、処理開始・終了通知受信手段８２から非接触通信の終了の通知を受けたときは、タイマ監視手段８３に一定時間の計測を指示し、一定時間が経過するまで、表示手段６１に同じ券面イメージを表示し続け、タイマ監視手段８３から一定時間が経過した旨の通知を受けると、表示手段６１における券面イメージの表示を停止する。
ここでは、セキュアデバイスを振る動作について説明したが、それ以外の所有者のアクション、例えば、セキュアデバイスを指先で叩いたり、表示画面に触れたりする動作、に応じて券面を表示し、それを更新するようにしてもよい。
【００３９】
このように、この携帯通信端末６０では、セキュアデバイス１０の非接触通信処理が行われた場合は、その処理が終了して一定時間が経過するまで、その処理に使用したカード機能の券面イメージが表示されるため、どのカード機能によるサービスが行われたかが容易に識別できる。また、ユーザが、携帯通信端末６０の画面に券面イメージを表示して、セキュアデバイス１０のカード機能を確認しただけの場合は、一定時間経過すると自動的に券面イメージの表示が消えるので、消すための操作が省略できる。
【産業上の利用可能性】
【００４０】
本発明の情報処理装置は、ＩＣカードや各種のセキュアデバイス等を装着したり、チップ状のものを埋め込んだりする携帯電話やＰＨＳ（Personal Handy-phone System）、ＰＤＡ等の各種装置に広く適用することができる。
【図面の簡単な説明】
【００４１】
【図１】本発明の第１の実施形態における携帯端末での券面イメージの表示切り替えを模式的に示す図
【図２】本発明の第１の実施形態における携帯端末を用いてセキュアデバイスのカード機能を使用する形態を模式的に示す図
【図３】本発明の第１の実施形態における携帯端末及びセキュアデバイスの構成を示すブロック図
【図４】本発明の第１の実施形態におけるセキュアデバイスの他の構成を示すブロック図
【図５】本発明の第１の実施形態における携帯端末の他の構成を示すブロック図
【図６】本発明の第１の実施形態におけるセキュアデバイスが外部リーダ・ライタと非接触通信を行っている状態を示すブロック図
【図７】本発明の第１の実施形態におけるロックアプリ指定手段を持つ携帯端末の構成を示すブロック図
【図８】本発明の第２の実施形態における携帯端末の構成を示すブロック図
【図９】マルチアプリＩＣカードのカードメニューを説明する図
【符号の説明】
【００４２】
１０    セキュアデバイス
２１    券面イメージ
２２    券面イメージ
３０    外部リーダ・ライタ
３５    セキュアデバイス管理手段
３６    券面データ格納手段
３７    カードアプリ格納手段
３８    カード磁気情報格納手段
３９    カードマネージャ
６０    携帯通信端末
６１    表示手段
６３    制御手段
６４    券面データ読み出し手段
７７    待ち受け状態管理手段
７９    ボタン状態監視手段
８１    ロックアプリ指定手段
８２    処理開始・終了通知受信手段
８３    タイマ監視手段
３６１  券面データ
３７１  ＩＣカードアプリ
３８１  カード磁気情報
７８１  第１加速度センサ
７８２  第２加速度センサ
【図１】
2005099909.tif 000003
【図２】
2005099909.tif 000004
【図３】
2005099909.tif 000005
【図４】
2005099909.tif 000006
【図５】
2005099909.tif 000007
【図６】
2005099909.tif 000008
【図７】
2005099909.tif 000009
【図８】
2005099909.tif 000010
【図９】
2005099909.tif 000011